(57)【要約】  【課題】  ポリマーフィルム製ゴミ袋に容れて分別回収した空缶や空瓶からゴミ袋を分離することが可能で、ゴミ袋や紐類が装置の可動部に巻き付いたり絡んだりすることのない、メンテナンスフリーの処理装置を提供する。  【解決手段】  処理装置（10）は、ゴミ袋を引き裂くためのスパイク付き回転ドラム（14）と、このドラムの側方に配置した加圧盤（80）を有する。回転ドラム（14）は進退可能な複数のスパイク（56）を備え、これらのスパイクは固定偏心軸（36）を備えた偏心機構（78）によりドラム（14）の回転に伴い出入りせられる。ドラムの回転に伴い、突出したスパイク（56）はゴミ袋（100）を引き裂いて内容物が落下するのを可能にする。空になったゴミ袋は暫くドラムに付いて廻り、スパイクがドラム内に退却するに伴い強制的にドラムから釈放される。  【選択図】      図２
2006188262.tif 000002
【特許請求の範囲】
【請求項１】
ポリマーフィルムなどからなるゴミ袋に容れた廃棄物とゴミ袋とを分離するための処理装置であって：
廃棄物を容れたゴミ袋が投入されるホッパーと、
前記ホッパーの下方に水平な回転軸線廻りに回転可能に支持されたスパイク付き回転ドラムであって、複数のスパイクがドラムの外周面から半径方向に出入りするようになったものと、
前記回転ドラムとの間に下方に向かって先細の作用間隙を形成するべく回転ドラムから離間して回転ドラムの側方に配置された湾曲した加圧盤と、
ホッパーから来るゴミ袋を前記回転ドラムと加圧盤との間に引き込む方向に回転ドラムを回転駆動する手段と、
回転ドラムの回転に伴い加圧盤に相対峙する角位置にあるスパイクをしてドラム外周面から外側に突出させると共に、加圧盤から外れた角位置にあるスパイクをしてドラム内に退却させるべくスパイクを進退駆動する手段と、
回転ドラムと加圧盤との間に引き込まれたゴミ袋を加圧盤に対して勾引させる制動手段とを備え、
前記スパイク付き回転ドラムの回転に伴い、突出したスパイクが回転ドラムと加圧盤との間に引き込まれたゴミ袋を引き裂いて、引き裂かれたゴミ袋から内容物が落下するのを可能にし、空になったゴミ袋はドラムが更に回転するにつれて突出したスパイクにより前記作用間隙から搬出され、次いで空のゴミ袋はスパイクがドラム内に退却するに伴い回転ドラムから釈放されるようになっていることを特徴とする処理装置。
【請求項２】
スパイクを進退駆動する前記手段は、回転ドラムの前記回転軸線に対して平行で偏心した軸線を有する固定偏心軸を備えた偏心機構を有することを特徴とする請求項１に基づく処理装置。
【請求項３】
前記スパイク付き回転ドラムの下方に傾斜した選別用格子を配置し、ゴミ袋から落下した廃棄物は格子を通過してその真下に落下し、空になったゴミ袋は格子上を滑落して格子の先方に落下するようにしたことを特徴とする請求項１又は２に基づく処理装置。
【請求項４】
前記格子の先方に落下した空のゴミ袋を回収するための手段を格子の下端付近に設けたことを特徴とする請求項３に基づく処理装置。
【請求項５】
空のゴミ袋を回収するための前記手段は、前記スパイク付き回転ドラム、回転駆動手段、およびスパイク進退駆動手段と同様の第２のスパイク付き回転ドラム、回転駆動手段、およびスパイク進退駆動手段を備え、この第２の回転駆動手段は前記第２のスパイク付き回転ドラムを格子とは反対方向に回転駆動し、第２の回転ドラムのスパイクは、格子の下端に相対峙する角位置にある時に突出することにより格子上を滑落して来た空のゴミ袋を格子の下端領域から搬出すると共に、格子とは反対側の角位置にある時に第２のドラム内に退却することにより空のゴミ袋を第２のドラムから釈放するようになっていることを特徴とする請求項４に基づく処理装置。
【請求項６】
前記制動手段は引き裂かれたゴミ袋から内容物が排出してゴミ袋がほぼ空になるまでゴミ袋を加圧盤に抑留することを特徴とする請求項１から５のいづれかに基づく処理装置。
【請求項７】
前記制動手段は回転ドラムに向かって突出するべく加圧盤の下部に設けた１以上の突起を備えていることを特徴とする請求項６に基づく処理装置。
【請求項８】
前記加圧盤は回転ドラムから後退可能に回転ドラムに向かって弾力的に付勢されていることを特徴とする請求項１から７のいづれかに基づく処理装置。
【請求項９】
前記スパイク進退駆動手段は、ドラムの回転方向に視て上死点前９０〜０°の角位置にあるスパイクがドラム外周面から最も退却するように構成してあることを特徴とする請求項１又は２に基づく処理装置。
【請求項１０】
回転ドラムの外周面に摺接して前記角位置に清掃用の掻き取りブレードを設けたことを特徴とする請求項９に基づく処理装置。
【請求項１１】
スパイク付き回転ドラムの隣り合うスパイクは回転方向に互い違いに配置してあることを特徴とする請求項１から１０のいづれかに基づく処理装置。
【請求項１２】
夫々のスパイクは復帰ばねによって偏心軸に向かって半径方向内向きに付勢されていると共に、過大な外力がスパイクに作用した時にドラム内に退却するべく安全ばねにより半径方向外向きに付勢されていることを特徴とする請求項１から１１のいづれかに基づく処理装置。
【請求項１３】
夫々のスパイクはドラムに取付けたガイドの半径方向孔内に摺動可能に装着してあり、スパイクの半径方向内側端にはローラが設けてあり、前記ローラは前記偏心軸廻りにドラムと共に回転する円盤に形成した同心円弧状のスロットに係合させてあることを特徴とする請求項１から１１のいづれかに基づく処理装置。
【請求項１４】
半径方向に出入り可能な複数のスパイクを備え、水平な回転軸線廻りに回転可能に支持されたスパイク付き回転ドラムと、
前記スパイク付き回転ドラムを回転駆動する手段と、
回転ドラムの前記回転軸線に対して平行で偏心した軸線を有する固定偏心軸を備え、回転ドラムの回転に伴い或る角位置にあるスパイクをしてドラム外周面から外側に突出させると共に、直径方向反対側の角位置にあるスパイクをしてドラム内に退却させるべくスパイクを進退駆動する偏心機構とを備え、
前記スパイク付き回転ドラムの回転に伴い突出したスパイクが被処理物に作用し、スパイクがドラム内に退却するに伴い被処理物が解放されるようになっていることを特徴とする処理装置。
【発明の詳細な説明】
【技術分野】
【０００１】
本発明は、ポリマーフィルムなどで形成されたゴミ袋（或いはセメント袋のような紙袋）に容れた空缶や空瓶や使用済みペット（PET）ボトルのようなリサイクル可能な廃棄物とゴミ袋とを分離選別するための処理装置に関する。
【背景技術】
【０００２】
今日では多くの自治体は空缶や空瓶や使用済みペットボトルなどのリサイクル可能な廃棄物を生ゴミとは別に分別回収しており、空缶や空瓶やペットボトルなどはポリマーフィルムからなるゴミ袋（場合によってはセメント袋のような紙袋）に容れた状態で回収される。
回収したゴミ袋は切り裂いて内容物を排出させ、異物を取り出し、空缶や空瓶やペットボトルのようなリサイクル可能な廃棄物とゴミ袋（これもリサイクル可能）とを選別しなければならない。
【０００３】
リサイクル可能な廃棄物とゴミ袋とを分離選別するための従来の処理装置は、一般に、刃の付いた回転ドラム又は揺動ドラムを備え、ドラムの回転又は揺動に伴い刃がゴミ袋を切開するようになっている（例えば、特開2001−104816号、特開平10−286482号、特開平7−237624号、特開平6−210194号）。
【０００４】
この種の従来技術の処理装置の問題点は、ポリマーフィルム製のゴミ袋それ自体や、ゴミ袋に付着し或いはゴミに混入している紐やロープやテープ等がドラムや装置の可動部に巻き付いたり絡んだりするので、時々或いは頻繁に運転を止めて人手により取り除かなければならないということである。
従来技術の処理装置の他の問題点は、装置内での被処理物の移動距離が大きいので、装置が大型かつ大重量となり、大きな据え付けスペースを要するということである。
【発明の開示】
【発明が解決しようとする課題】
【０００５】
本発明の目的は、ポリマーフィルムなどのゴミ袋に容れた空缶や空瓶やペットボトルのようなリサイクル可能な廃棄物とゴミ袋とを分離ないし選別することが可能で、ゴミ袋自体や紐やロープやテープなどが機械の可動部に巻き付いたり絡んだり堆積したりすることのないメンテナンスフリーの処理装置を提供することにある。
本発明の他の目的は、小型コンパクトかつ軽量で、据え付けスペースの小さな処理装置を提供することにある。
【課題を解決するための手段】
【０００６】
本発明は、ポリマーフィルムなどからなるゴミ袋に容れた廃棄物とゴミ袋とを分離するための処理装置を提供するもので、簡素な実施態様においては、この装置は：
廃棄物を容れたゴミ袋が投入されるホッパーと、
前記ホッパーの下方に水平な回転軸線廻りに回転可能に支持されたスパイク付き回転ドラムであって、複数のスパイク（又はピン）がドラムの外周面から半径方向に出入りするようになったものと、
前記回転ドラムとの間に下方に向かって先細の作用間隙を形成するべく回転ドラムから離間して回転ドラムの側方に配置された湾曲した加圧盤と、
ホッパーから来るゴミ袋を前記回転ドラムと加圧盤との間に引き込む方向に回転ドラムを回転駆動する手段と、
回転ドラムの回転に伴い加圧盤に相対峙する角位置にあるスパイクをしてドラム外周面から外側に突出させると共に、加圧盤から外れた角位置にあるスパイクをしてドラム内に退却させるべくスパイクを進退駆動する手段と、
回転ドラムと加圧盤との間に引き込まれたゴミ袋を加圧盤に対して勾引させる制動手段（回転ドラムと加圧盤との間からゴミ袋がずり落ちるのを防止する抵抗として作用する）とを備えている。
【０００７】
好ましい実施態様においては、スパイク進退駆動手段は、回転ドラムの回転軸線に対して平行で偏心した軸線を有する固定偏心軸を備えた偏心機構を有する。
【０００８】
作動時には、スパイク付き回転ドラムの回転に伴い偏心機構の作用によりスパイクがドラム表面から突出せられ、突出したスパイクが回転ドラムと加圧盤との間に引き込まれたゴミ袋を引き裂き、引き裂かれたゴミ袋から内容物がバラバラと落下する。
空になったゴミ袋はドラムが更に回転するにつれてスパイクにより作用間隙から運び出される。ドラムが更に回転すると、偏心機構の作用によりスパイクはドラム内に退却し、空のゴミ袋は回転ドラムから釈放される。
【０００９】
このように、偏心機構の作用によって回転ドラムから出入りするスパイクによってゴミ袋の引き裂きと送りが行われ、スパイクは再び偏心機構によりドラム内に退却せられるので、ゴミ袋自体や紐やロープやテープや糸屑などがドラムに巻き付いたり堆積したりスパイクに絡んだりすることがない。ゴミ袋や紐類はスパイクの退却に伴い強制的にドラムおよびスパイクから釈放せられる。
【００１０】
好ましくは、偏心機構は、ドラムの回転方向に視て上死点前９０〜０°（より好ましくは、上死点前約４５°）の角位置に来たスパイクがドラム外周面から最も退却するように構成し、遅くともこの角位置においてはゴミ袋や紐類はドラムから強制的に離脱せられる。
好ましい実施態様に従いこの角位置において回転ドラムの外周面に掻き取りブレードを摺設させれば、ドラムの１回転毎にドラム表面のセルフクリーニングが行われる。
【００１１】
好ましい実施態様においては、スパイク付き回転ドラムの下方に傾斜した選別用格子を配置し、ゴミ袋から落下した廃棄物は格子を通過してその真下に落下させ、空になったゴミ袋は格子上を滑落させて格子の先方に落下させる。
好ましくは、格子の先方に落下した空のゴミ袋を回収するための手段を格子の下端付近に設ける。
【００１２】
好ましい実施態様においては、この空ゴミ袋回収手段は、前述したゴミ袋引き裂き用のスパイク付き回転ドラム（破袋ドラム）、回転駆動手段、および偏心機構と同様の構成要素で構成することができる。このゴミ袋回収用の回転駆動手段はゴミ袋回収用の第２のスパイク付き回転ドラム（回収ドラム）を格子とは反対方向に回転駆動する。この第２の回転ドラムのスパイクは、格子の下端に相対峙する角位置にある時に突出することにより格子上を滑落して来た空のゴミ袋を格子の下端領域から搬出すると共に、格子とは反対側の角位置にある時に第２のドラム内に退却することにより空のゴミ袋を第２のドラムから釈放するようになっている。
この実施態様によれば、装置内での被処理物の移動距離が短いので、装置を小型かつコンパクトにし、軽量化することができる。また、回転突起物と内容物との接触が少ないので、運転騒音を抑制することができる。
【００１３】
好ましい実施態様においては、制動手段は引き裂かれたゴミ袋から内容物が排出してゴミ袋がほぼ空になるまでゴミ袋を加圧盤に抑留するようになっている。
好ましくは、この制動手段は回転ドラムに向かって突出するべく加圧盤の下部に設けた１以上の突起（爪又はピン）を備えている。
【００１４】
好ましくは、加圧盤は回転ドラムから後退可能に回転ドラムに向かって弾力的に付勢されている。
好ましい実施態様においては、夫々のスパイクは復帰ばねによって偏心軸に向かって半径方向内向きに付勢されていると共に、過大な外力がスパイクに作用した時にドラム内に退却するべく安全ばねにより半径方向外向きに付勢されている。
他の好ましい実施態様においては、夫々のスパイクはドラムに取付けたガイドの半径方向孔内に摺動可能に装着してあり、スパイクの半径方向内側端にはローラが設けてあり、前記ローラは前記偏心軸廻りにドラムと共に回転する円盤に形成した同心円弧状の長穴に係合させてある。
【００１５】
他の観点においては、本発明は、スパイクを用いて被処理物を処理するための処理装置を提供するもので、この処理装置は：半径方向に出入り可能な複数のスパイクを備え、水平な回転軸線廻りに回転可能に支持されたスパイク付き回転ドラムと；前記スパイク付き回転ドラムを回転駆動する手段と；回転ドラムの前記回転軸線に対して平行で偏心した軸線を有する固定偏心軸を備え、回転ドラムの回転に伴い或る角位置にあるスパイクをしてドラム外周面から外側に突出させると共に、直径方向反対側の角位置にあるスパイクをしてドラム内に退却させるべくスパイクを進退駆動する偏心機構とを備え；スパイク付き回転ドラムの回転に伴い突出したスパイクが被処理物に作用し、スパイクがドラム内に退却するに伴い被処理物が解放されるようになっている。
【００１６】
本発明の上記特徴や効果並びに他の特徴や効果は以下の実施例の記載につれて更に明らかにする。
【発明を実施するための最良の形態】
【００１７】
添付図面を参照しながら、本発明の非限定的な実施例を説明する。
図１から図３を参照するに、処理装置１０はフレーム１２を備え、図示したように、このフレーム１２は例えば溝形鋼材を溶接、リベット、又はボルト・ナットなどにより連結することにより形成することができ、ブレースによって適宜補強することができる。
【００１８】
フレーム１２には、空缶や空瓶やペットボトルのようなリサイクル可能な廃棄物が入ったゴミ袋を引き裂くための第１のスパイク付き回転ドラム（破袋ドラム）１４と、空になったゴミ袋を回収するための第２のスパイク付き回転ドラム（ゴミ袋回収ドラム）１６とが回転可能に軸支してある。
破袋ドラム１４およびゴミ袋回収ドラム１６は、夫々、フレーム１２に固定したステンレス鋼板などからなる上部ハウジング１８および下部ハウジング２０によって囲繞されている。これらのハウジングには適宜点検孔や点検窓を設けることができる。
上部ハウジング１８には、廃棄物が入ったゴミ袋を投入するための、ステンレス鋼板等で形成されたホッパー２２が搭載してある。
【００１９】
図３を参照するに、破袋ドラム１４は鋼鉄等で形成された円筒部２４とボルト止めなどによりその左右に取付けた例えば鋼鉄製の一対の円形端板２６、２８とを有する。
ドラム１４の左端板２６は溶接やボルトなどにより中実の耳軸３０に一体的に連結してあり、この耳軸３０はフレーム１２に取付けた軸受け３２に支持されている。従って、ドラム１４は、その左端においては、耳軸３０と軸受け３２によってフレーム１２に対して回転可能に支持されている。ドラム１４の右端の軸支態様については後述する。
ドラム１４の耳軸３０はフレーム１２に取付けた減速歯車付きモータ３４の出力軸に連結してあり、ドラム１４はこの減速歯車付きモータ３４によって回転駆動されるようになっている。ドラムの両端のところでドラム１４の円筒部２４と上部ハウジング１８との間には一対のシール機構３５が配置してあり、ドラム１４の回転中にドラムの外周をシールすることにより液汁や臭気が外部に漏れないようにしてある。
【００２０】
ドラム１４の内部には、ドラム１４の回転軸線に対して偏心した軸線を有する固定偏心軸３６が配置してある。
概略的には、この固定偏心軸３６は、その右端（図３において右端）においては回転不能にフレーム１２に固定してあるが、その左端は回転するドラム１４に対して相対回転することによりフレーム１２に対して回転しないようにドラム１４の左端板２６に軸支してある。
【００２１】
より詳しくは、スパイク付き回転ドラム１４の回転軸線に対して固定偏心軸３６を偏心させるため、固定偏心軸３６の左右両端は、夫々、長円形若しくは矩形断面の偏心ブロック３８、４０を介して破袋ドラムの回転軸線と同心的な左右一対の耳軸４２、４４に一体的に連結してある。図３から良く分かるように、これらの偏心ブロック３８、４０はドラム１４の回転軸線に対して偏心した軸穴を備えており、これらの軸穴に固定偏心軸３６の両端が夫々嵌合されている。固定偏心軸３６はロックボルト４６により偏心ブロック３８、４０に廻り止めされている。偏心ブロック３８、４０は溶接などにより耳軸４２、４４に連結してある。
【００２２】
固定偏心軸３６の右側の耳軸４４は破袋ドラム１４の右端板２８を貫通してその外側まで延長させてある。この右側耳軸４４はフレーム１２に対して角位置調節可能に廻り止めしてある。このため、図示した実施例では、右側耳軸４４は軸受け４８を用いてフレーム１２に固定してあると共に、廻り止めクランプ機構５０を用いてフレーム１２に対して固定してある。クランプ機構５０のボルトを弛めて耳軸４４を回すことにより、フレーム１２に対する耳軸４４ひいては固定偏心軸３６の角位置を調節し、ボルトを再び締めることにより固定偏心軸３６を所望の角位置に固定することができ、スパイクが最も突き出る位置を任意に調節することができる。
【００２３】
このように、偏心軸３６の右側耳軸４４はクランプ機構５０によってフレーム１２に対して固定されているので、耳軸４４はフレーム１２に対して回転不能であり、ひいては、固定偏心軸３６もまたフレーム１２に対して回転不能である。
他方、図３に示したように、ドラム１４の右端板２８は軸受け５２を介して右側耳軸４４に対して相対回転可能に軸支してあり、耳軸４４および固定偏心軸３６が回転しなくてもドラム１４が回転することができるようになっている。
【００２４】
図３に示した実施例では、固定偏心軸３６の左側耳軸４２は、回転するドラム１４に対して相対回転可能に軸受け５４を介してドラム１４の左端板２６に軸支してある。従って、ドラム１４が回転しても耳軸４２および固定偏心軸３６は回転することがない。
要するに、このように破袋ドラム１４の右端板２８を軸受け５２を用いて固定右側耳軸４４に回転可能に支持することでドラム１４をフレーム１２に対して回転可能に支持すると共に、固定偏心軸３６の左側耳軸４２を軸受け５４を用いて破袋ドラム１４の左端板２６に相対回転可能に軸支することで固定偏心軸３６をフレーム１２に対して回転不能に支持するようになっている。
【００２５】
図３および図４を参照するに、回転ドラム１４は半径方向に出入りするようになった複数のスパイク５６を有する。これらのスパイク５６は複数の縦列と複数の横列からなるマトリックスの形に配置してある。
図示した実施例では、スパイクの縦列は互いに９０°の角度間隔で円周方向に離間した４本一組のスパイク５６からなり、このような４本一組のスパイク縦列を軸方向等間隔に例えば１０以上の横列に沿って配置することができる。ドラムの外周面にわたってスパイク５６をできるだけ均一に分散させるため、隣り合う縦列のスパイクは回転方向に例えば４５°の角度間隔で互い違いに配置してある。
【００２６】
引き続き図３および図４を参照するに、夫々のスパイク５６は、ドラム１４の円筒部２４の段付円柱形の取付穴に装着しボルト止めしたガイドブロック５８の半径方向孔に摺動自在に嵌合してある。
夫々のスパイク５６には、ドラム１４が回転する時にスパイク５６をして固定偏心軸３６の外周に追従して出入りさせるための追従機構６０が設けてある。
【００２７】
図３および図４に示した実施例では、追従機構６０は、スパイク５６の内側端に取付けたローラー６２と、ローラー６２が嵌合されたスロット６４を有するスロット付き円盤６６を有する。
より詳しくは、図４から良く分かるように、スパイク５６の内側端に設けたねじ部は追従ブロック６８に設けたねじ穴に螺合してあり、ロックナット７０によって固定してある。ローラー６２はボルト７２とナット７４によって追従ブロック６８に枢支してある。円盤６６のスロット６４は円盤６６と同心的な円弧からなる。
ローラー６２が固定偏心軸３６に追従するのを可能にするため、スロット６４の円弧方向長さは、回転ドラム１４の回転軸線Ｏと固定偏心軸３６の固定軸線Ｏ’との間の偏心距離にローラー６２の直径を加えたものよりも大きくしてある。
スロット付き円盤６６は軸受け７６によって固定偏心軸３６廻りに枢支してあり、回転ドラム１４の回転に伴い固定偏心軸３６に対して相対回転するようになっている。
【００２８】
このような構成であるから、回転ドラム１４が一回転する間にローラー６２は固定偏心軸３６の周りを360°転動し、固定偏心軸３６に追従してスパイク５６を一回だけ出入りさせる。
追従機構６０は各スパイク５６毎に設けてある。固定偏心軸３６と追従機構６０とによりスパイク５６を進退駆動する偏心機構７８が構成される。
破袋ドラム１４の偏心機構７８は、例えば、破袋ドラム１４の回転方向に視てスパイク５６が上死点後約４５°の角位置にある時に最も突出し、上死点前約４５°の角位置にある時に最も退却するように調節することができる。
図２に示したように、スパイク５６が最も退却する角位置には、破袋ドラム１４の外周面に摺接して掻き取りブレード７９が設けてあり、スパイク５６の退却を待ってドラムの１回転毎にドラム表面を自動的に掻き取って清掃するようになっている。
【００２９】
図２から良く分かるように、破袋ドラム１４の側方にはゴミ袋を案内し加圧するための加圧盤８０が配置してあり、破袋ドラム１４との間に下方に向かって先細の作用間隙８２が形成してある。
図５に示したように、加圧盤８０は鋼板を中空に溶接することにより軽量化を図りながらも堅牢剛的に形成することができ、破袋ドラム１４に相対峙する湾曲した作用面８４を有する。
図１に示したように、１つの破袋ドラム１４に対して例えば４つの加圧盤８０を一列に並置することができる。図２および図５に示したように、夫々の加圧盤８０の上端には軸受け８６が設けてあり、そこに挿通した枢軸８８を中心として揺動するようになっている。
夫々の加圧盤８０にはエアシリンダ９０（図２）が連結してあり、夫々の加圧盤８０がエアシリンダ９０により破袋ドラム１４に向かって後退可能に弾力付勢されるようになっている。また、エアシリンダ９０を制御することにより図２に鎖線で示したように夫々の加圧盤８０の作用間隙８２を増減することができる。なお、エアシリンダ９０に代えてばねとストッパを用いることも可能である。
【００３０】
夫々の加圧盤８０の下端には、破袋ドラム１４の方へ突出する例えば２つの突起９２が設けてある。これらの突起９２は、回転ドラム１４と加圧盤８０との間に引き込まれたゴミ袋を加圧盤８０に対して勾引させる制動手段を構成する。
【００３１】
図１および図２を参照するに、下部ハウジング２０内には、互いに平行に配置した複数の棒などからなる選別用格子９４が破袋ドラム１４の下方に斜めに配置してある。この選別用格子９４の上端はエアシリンダ９６が連結された共通の回動軸９８に固定してあり、図２に鎖線で示したように回動軸９８を中心として揺動するようになっている。
【００３２】
これらの選別用格子９４の下端に対向してゴミ袋回収用のスパイク付き回転ドラム１６が設けてある。
ゴミ袋回収ドラム１６は前述した破袋ドラム１４と同様の構成を有し、かつ、破袋ドラム１４の前述した偏心機構７８と同様の偏心機構を有する。破袋ドラム１４およびその偏心機構７８とゴミ袋回収ドラム１６およびその偏心機構は共通する構成部品を用いて同じ様に形成することができるので、重複説明は省略する。
相違点のみ説明するに、破袋ドラム１４の偏心機構７８が、破袋ドラム１４の回転方向に視てスパイク５６が例えば上死点後約４５°の角位置にある時に最も突出し、上死点前約４５°の角位置にある時に最も退却するように調節してあるのに対して、ゴミ袋回収ドラム１６の偏心機構は、スパイクが例えば上死点に来た時に最も突出し、下死点に来た時に最も退却するように調節することができる。
ゴミ袋回収ドラム１６は減速歯車付きモータ１０７によって回転駆動される。ゴミ袋回収ドラム１６にもスパイクが最も退却する角位置に掻き取りブレード１０５が設けてあり（図２）、スパイクの退却を待って１回転毎に回収ドラムの表面を清掃するようになっている。
【００３３】
次に、図６を併せ参照しながら、この処理装置１０の作動の態様を説明する。
空缶や空瓶やペットボトルのようなリサイクル可能な廃棄物が入ったゴミ袋１００をホッパー２２に投入し、破袋ドラム１４を回転させると、偏心機構７８の作用により突出したスパイク５６がゴミ袋１００に突き刺さりながら回転することにより、ゴミ袋１００は図６（Ａ）に示したように破袋ドラム１４と加圧盤８０との間に引き込まれる。
先細の作用間隙８２内に進入するにつれてゴミ袋１００は破袋ドラム１４と加圧盤８０との間で次第に圧迫され、加圧盤８０の作用面８４とゴミ袋１００との間の摩擦抵抗が増すので、回転するスパイク５６の周速度の方が加圧盤８０の作用面８４に対するゴミ袋１００の摺動速度よりも大きくなる。その結果、突き刺さったスパイク５６はゴミ袋１００を引き裂き（図６（Ｂ））、引き裂かれたゴミ袋１００から内容物がバラバラと落下し始める（図６（Ｃ））。
落下した空缶や空瓶やペットボトルは選別用格子９４を通過する。それらは下部ハウジング２０の廃棄物排出口１０２（図２）から排出させ、その下方に設けたベルトコンベヤ（図示せず）などにより次の処理工程へ送ることができる。
【００３４】
ゴミ袋の引き裂きと内容物の落下が進み、ゴミ袋１００の内容物が少なくなるに伴い、ゴミ袋１００が更に引き落とされてゴミ袋１００の下端が加圧盤８０の下端に設けた突起９２に引っ掛かるに至ると、回転するスパイク５６がゴミ袋１００のうちスパイク５６が突き刺さった部分をドラム回転方向に連れ廻ることによりゴミ袋１００を転動させ、ゴミ袋１００を次第にひっくり返す（図６（Ｄ））。
加圧盤８０の突起９２はゴミ袋の内容物が作用間隙８２からほぼ落下しきるまでゴミ袋１００に引っ掛かってそれを抑留し、ゴミ袋が更にひっくり返って内容物を更に排出するのを可能にする。
【００３５】
ゴミ袋１００がほぼひっくり返るまでスパイク５６がゴミ袋１００を連れ廻ると、ゴミ袋１００はやがて加圧盤８０の突起９２から外れる（図６（Ｅ））。
破袋ドラム１４が更に回転するにつれてスパイク５６が上死点前４５°の角位置に付づくと、偏心機構７８の作用によりスパイク５６はドラム内に退却するので、空になってゴミ袋１００はスパイク５６から釈放され、落下する（図６（Ｆ））。
落下した空のゴミ袋１００は格子９４上を滑落し、図２において時計廻りに回転するゴミ袋回収ドラム１６のスパイクによって引っ掛けられ、下部ハウジング２０のゴミ袋排出口１０４の方へ送られ、回収ドラム１６のスパイクが退却するに伴い釈放される。落下した空のゴミ袋はゴミ袋排出口１０４の下方に設けた第２のベルトコンベヤ（図示せず）などにより次の処理工程へ送ることができる。
破袋ドラム１４およびゴミ袋回収ドラム１６は、夫々、掻き取りブレード７９および１０５により１回転毎に表面が清掃される。
【００３６】
図７は、図４に示したスパイク進退機構の変化形を示す。この変化形は、夫々のスパイクを内向きにバネ付勢することにより偏心軸に摺接させると共に、過大な外力がスパイクに作用した時にスパイクがドラム内に退却するようにしたことを特徴としている。図７においては図４に示した構成要素と共通するものは同じ参照番号で示し、重複説明は省略する。
図７を参照するに、スパイク付きドラム１４、１６の円筒部２４に形成した段付円柱形の取付穴の各々にはスパイク案内スリーブ１０６が嵌合してあり、ねじ止めなどにより固定したガイドブロック５８を介して円筒部２４に対して強固に固定してある。案内スリーブ１０６内には有底円筒形の偏心軸フォロワ１０８が摺動自在に嵌合してある。
【００３７】
スパイク５６の下部にはフランジ付きばね受け１１０が嵌合してあり、スパイク５６の下端に装着したサークリップにより抜け止めしてある。スパイク５６の上部には他のフランジ付きばね受け１１２が配置してある。下部ばね受け１１０のフランジと上部ばね受け１１２のフランジとの間に配置した復帰ばね１１４の作用により、下部ばね受け１１０のフランジは偏心軸フォロワ１０８の上端に当接せられると共に、偏心軸フォロワ１０８の下端は固定偏心軸３６に摺接せられる。
従って、固定偏心軸３６の周りをスパイク付きドラム１４、１６が回転すると、偏心軸フォロワ１０８は固定偏心軸３６の外周に追従し、復帰ばね１１４の作用に抗して夫々のスパイク５６をドラムから出入りさせる。
【００３８】
スパイク５６の下端に装着したサークリップと偏心軸フォロワ１０８の底との間には、安全ばね１１６が配置してある。このため、過大な外力がいづれかのスパイク５６に作用した時には、スパイク５６は安全ばね１１６を圧縮しながらドラム内に退却する。
従って、この変化形は、過大な外力に対する装置の安全性が向上するという利点がある。
【００３９】
図８は、図３に示した回転ドラム１４、１６の回転支持構造および固定偏心軸３６の廻り止め支持構造の変化形を示す。この変化形は、回転ドラム１４、１６の左右の耳軸の双方をフレーム１２に対して回転可能にフレーム１２に軸支すると共に、固定偏心軸３６の左右の耳軸の双方をフレーム１２に対して回転不能にフレーム１２に固定したことを特徴としている。図８においては図３に示した構成要素と共通するものは同じ参照番号で示し、重複説明は省略する。
【００４０】
図８を参照するに、回転ドラム１４、１６左右の端板２６、２８には中空の左右耳軸１１８、１２０が夫々一体形成又は接合してある。これらの耳軸１１８、１２０は軸受け１２２、１２４を介して上部ハウジング１８の側板１２６、１２８に回転可能に軸支されている。
左耳軸１１８の自由端には駆動歯車１３０がボルトなどにより止着してある。この駆動歯車１３０には減速歯車付きモータの出力歯車（図示せず）が噛み合っており、スパイク付き回転ドラム１４、１６を回転駆動するようになっている。チェーン、Ｖベルト、歯付きベルトその他の伝動機構を介してドラムを駆動してもよい。
固定偏心軸３６の左右の耳軸１３２、１３４は回転ドラムの中空の耳軸１１８、１２０の内側を延長しており、廻り止めボルト１３６などを用いてフレーム１２に直かに固定されている。
【００４１】
以上には本発明の特定の実施例を記載したが、本発明はこれに限定されるものではなく、種々の修正や変更を施すことができる。例えば、破袋ドラム１４と協働して作用間隙８２を形成する加圧盤８０は、破袋ドラムよりも周速度の遅い回転ドラムで置換することができる。また、加圧盤の数や形状、選別用格子の数や配置も適宜変更することができる。ゴミ袋回収ドラムは不可欠ではなく、廃止してもよいし、或いは他の送り機構で置換することができる。
請求項１４に記載したように、スパイク付き回転ドラムはゴミ袋の引き裂き以外の他の用途（例えば、物品の破砕や穿孔や表面加工）に使用することができる。
スパイク付き回転ドラムの長さやスパイクの形状や数や配置パターンは適宜変更することができる。スパイク進退駆動手段および偏心機構の構造や偏心角位置は適宜変更することができる。スパイク付き回転ドラムの端部をハウジングの外側まで延長させてローラーチェーンによって駆動することも可能である。
【図面の簡単な説明】
【００４２】
【図１】図１（Ａ）および（Ｂ）は夫々本発明の処理装置の正面図および側面図である。
【図２】図１に示した処理装置の横断面図である。
【図３】図１に示した処理装置のスパイク付き回転ドラムの縦断面図で、図面簡素化のため中央部は切欠いてある。
【図４】図４（Ａ）は図３に示した回転ドラムの偏心機構の断面図、（Ｂ）は斜視図、（Ｃ）は分解斜視図である。
【図５】図１および図２に示した処理装置の加圧盤の斜視図である。
【図６】図１から図５に示した処理装置の作動シーケンスを示す概略図である。
【図７】図７（Ａ）および（Ｂ）は、夫々、図４の断面図および斜視図と同様の図で、スパイク進退機構の変化形を示す。
【図８】図３と同様の図で、回転ドラムおよび偏心軸の支持構造の変化形を示す。
【符号の説明】
【００４３】
１０：  処理装置
１２：  フレーム
１４：  スパイク付き回転ドラム（破袋ドラム）
１６：  スパイク付き回転ドラム（ゴミ袋回収ドラム）
２２：  ホッパー
３４：  減速歯車付きモータ
３６：  固定偏心軸
５６：  スパイク
５８：  ガイドブロック
６０、７８：   スパイク進退駆動手段
６０：  追従機構
７８：  偏心機構
７９：  掻き取りブレード
８０：  加圧盤
８２：  作用間隙
９２：  突起（制動手段）
９４：  格子
１００：  ゴミ袋
１１４：  復帰ばね
１１６：  安全ばね
発明者      森脇  一男
常石  明秀
特許出願人  株式会社ユイ工業
代理人  弁理士  伊藤  宏
【図１】
2006188262.tif 000003
【図２】
2006188262.tif 000004
【図３】
2006188262.tif 000005
【図４】
2006188262.tif 000006
【図５】
2006188262.tif 000007
【図６】
2006188262.tif 000008
【図７】
2006188262.tif 000009
【図８】
2006188262.tif 000010